(57)【要約】【課題】オフセット印刷原理に基づく印刷機のために、追加的でまた可変の情報、ならびに、ある部数の印刷中に頻繁に変化する情報を、印刷物内の任意の場所に追加することを可能にする。【解決手段】オフセット印刷原理に基づく印刷機が、追加的で可変の情報、ならびに、ある部数の印刷中に頻繁に変化する情報を、印刷物の任意の場所に追加できるように、インクジェット印刷システム（８，９）という形の追加装置が設けられている。該追加装置においては、インクジェット印刷ヘッド（１０，１１）が、印刷機内の、印刷装置内または少なくとも印刷装置（１，２）の周辺において、ウェブ（２０）に対する作業位置において印刷方向に対して横方向に横木（１２，１３）に取り付けられている。【選択図】図１
2007276469.tif 000002
【特許請求の範囲】
【請求項１】
オフセット印刷原理に基づく印刷機、特に新聞印刷用オフセット輪転機のための、インクジェット印刷システムという形の追加装置であって、
少なくとも一つのインクジェット印刷ヘッド（１０，１１）が、印刷機内の、特に印刷装置内または少なくとも印刷装置（１，２）の周辺において、ウェブ（２０）に対する作業位置において印刷方向に対して横方向に横木（１２，１３）に取り付けられていることを特徴とする追加装置。
【請求項２】
前記インクジェット印刷ヘッド（１０，１１）が、印刷機内においてウェブ（２０）が平坦になる経路の領域において横木（１２，１３）に配置されていることを特徴とする、請求項１に記載の追加装置。
【請求項３】
前記インクジェット印刷ヘッド（１０，１１）が、ガイドローラまたは圧胴などの印刷装置の胴の湾曲した表面における作業位置に配置されていることを特徴とする、請求項１に記載の追加装置。
【請求項４】
前記インクジェット印刷ヘッド（１０，１１）が存在する位置の領域において、ウェブ（２０）を安定させるために追加的な用紙ガイドローラが設けられていることを特徴とする、請求項２に記載の追加装置。
【請求項５】
各インクジェット印刷ヘッド（１０，１１）に、一つの制御ユニット（４０，４１）もしくはコントロールユニットが備わっており、該ユニットは、割り当てられた印刷ヘッド（１０，１１）の周辺において印刷機構造内に配置されていることを特徴とする、請求項１に記載の追加装置。
【請求項６】
前記インクジェット印刷システム（８，９）が横木（１２）、印刷ヘッド（１０，１１）、制御ユニット（４０，４１）および必要なコントローラ・ハードウェアから構成され、モジュール式でありおよび輸送可能であるために、各インクジェット印刷システム（８，９）の位置を必要に応じて印刷機内において変更することができ、または、印刷機内の任意の場所で何度も利用できることを特徴とする、請求項１から５のいずれか一項に記載の追加装置。
【請求項７】
印刷物に設けられたスペースへの追加印刷場所、および、該追加印刷の寸法どおりの画像印刷に関して、前記制御ユニット（４０，４１）を同期させるために、印刷機制御装置から発信される速度信号およびスタート信号が印刷機に備わっていることを特徴とする、請求項５に記載の追加装置。
【請求項８】
前記インクジェット印刷システム（８，９）の前記制御ユニット（４０，４１）が、印刷機制御装置により、印刷中に、印刷対象の画像データが、残りのデータワークフローとは非同期的にインプットされるよう操作できることを特徴とする、請求項７に記載の追加装置。
【請求項９】
前記インクジェット印刷システム（８，９）の前記制御ユニット（４０，４１）が、印刷対象の画像データをデータワークフローに組み込むように印刷機制御部内に組み込まれていることを特徴とする、請求項７に記載の追加装置。
【発明の詳細な説明】
【技術分野】
【０００１】
本発明は、オフセット印刷原理に基づく印刷機のための、請求項１の前段に記載された、インクジェット印刷システムの形態の追加装置に関するものである。
【背景技術】
【０００２】
オフセット印刷原理に基づく印刷機、特にウェブ輪転印刷機において、インクジェット印刷装置の利用が増えており、このインクジェット印刷装置は望ましくは、オフセット印刷により作製された印刷物を、たとえば住所印刷、バーコード、ナンバリング、またはその他のマーク付けにより個別化するために用いられる。このようなインクジェット印刷システムには、少なくとも一つのインクジェット印刷ヘッドが備わっており、このインクジェット印刷ヘッドはいわゆる連続インクジェット原理、ドロップオンデマンド・インクジェット原理、サーマルインクジェット原理、バブルインクジェット原理またはその他のインクジェット原理に基づいて構成されている。インクジェット印刷ヘッドには通常、一列に並んで配置された複数のノズルからなるノズル列が備わっており、このノズルを介して印刷対象の被印刷物、たとえばウェブに向けて印刷インキが吐出される。
【０００３】
多くの場合、このようなインクジェット印刷システムは、印刷生産ラインの後処理に配置されるが、それは、後処理では印刷速度が輪転印刷におけるプロセス速度より大幅に低いからである。しかしそのため、追加的に印刷を行えるのが、印刷物の外側の小さな領域に制限されるという短所もある。
【０００４】
インクジェット・テクノロジーは、従来の技術においては個人および産業分野（ＥＤＰの既存データを直接利用するデジタル・プルーフ・システム／デジタル印刷機）において広く使われている。
【０００５】
印刷産業の領域においては、すでに存在するインクジェット印刷システムがある。インクジェット・システムは、印刷プレートもしくは印刷版の画像を印刷するためのプルーフ作製のため、または特に、特別な少数枚数（特殊形状物印刷（Koerperformendruck）など）のデジタル印刷および特別なフォーマット（大判ポスターまたはテキスタイルなど）のために用いられる。個人で使用するインクジェット印刷の場合と同様、産業利用においても、インクジェット印刷システムは主に印刷枚数が非常に少ない場合に用いられ、また、印刷インキ用のコストも非常に高い。オフセットなど従来の印刷法と比較すると、インクジェット印刷は、印刷解像度が高い場合に非常に遅くなるため、本刷りにとっては経済的ではない。
【０００６】
さらに、たとえば特許文献１より、ニス引きユニットとして利用されるインクジェット印刷システムが知られており、その利用法においては、一つの別個のインクジェット印刷機が、インクジェットヘッド・アレイまたはインクジェットヘッド・バーという形で、望ましくは大判の被印刷物に対して１行ごとに噴射するために使われており、このとき該被印刷物はインクジェットヘッドの出口開口部の下を通過する。
【特許文献１】独国特許出願公開第１０２００４００２１３２号明細書
【特許文献２】独国特許発明第２７０４５１４号明細書
【発明の開示】
【発明が解決しようとする課題】
【０００７】
本発明の課題は、オフセット印刷原理に基づく印刷機のために、追加的でまた可変の情報、ならびに、ある部数の印刷中に頻繁に変化する情報を、印刷物内の任意の場所に追加することを可能にすることである。
【課題を解決するための手段】
【０００８】
この課題は本発明の請求項１に記載の特徴により解決できる。
【０００９】
オフセット印刷原理に基づく印刷機、特に新聞印刷用オフセット輪転機のための、インクジェット印刷システムという形の本発明の追加装置において、少なくとも一つのインクジェット印刷ヘッドが、印刷機内のウェブに対する作業ポジションにおける印刷方向に対して横方向に横木に取り付けられて、望ましくは一つの印刷装置内または少なくとも一つの印刷装置の近くに配置されていることを本書で初めて提案する。
【００１０】
また、本発明の追加装置を、印刷機内の該当する印刷装置の前に配置しておくこともできる。
【００１１】
本発明の望ましい発展形は、従属請求項および以下の記述から理解できる。本発明の特に望ましい実施形態を、図を参照してさらに詳しく説明するが、これに限定されるわけではない。
【００１２】
インクジェット印刷とは、ノンインパクトプリンターのカテゴリに属する印刷技術の一つである。インクジェット印刷では、一つまたは複数の非常に小さなノズルからわずかな量のインキが（特許文献２などで記述されたような）電子制御により被印刷物上に噴射される、無接触式の印刷方法である。無接触式の印刷方法の長所は、上流に配置された乾燥手段を必要に応じてなくすことができることで、それにより、エネルギーおよび材料のコストを節約できる。
【００１３】
さらに、すでに述べたインクジェット印刷法は、いわゆる印刷画像データを介してデジタルに制御できる。それにより可変の印刷画像が構成可能である。
【００１４】
本発明の提案は、従来の技術に対して、インクジェット装置がすでにオフセット印刷機内に組み込まれていること、また、該印刷機のさまざまな場所に取り付けたり、さまざまなウェブに「インクジェット装置を」付け替えることができるという長所がある。これにより、追加的でまた可変の情報、ならびに、ある部数の印刷中に頻繁に変化する情報を、印刷物内の任意の場所に追加できる。
【発明を実施するための最良の形態】
【００１５】
以下に、本発明を、図を用いてさらに詳しく説明する。
図１には、新聞印刷用オフセット輪転機におけるウェブガイドの様子がカラーインキ着けも含めて図示されている。該新聞印刷用オフセット輪転機には、４×４色印刷用の複数の印刷装置タワー（１，２）が備わっており、各印刷装置タワー（１，２）ごとに、垂直なウェブ経路を持つ、２段に積み上げられた９胴サテライト（３，４，５，６）および一つの折りユニット（７）が備わっている。
【００１６】
各印刷装置タワー（１，２）には、インクジェット印刷システム（８，９）という形でそれぞれ一つの追加装置が備わっている。
【００１７】
図２によると、各インクジェット印刷システム（８，９）がそれぞれ一つのインクジェット印刷ヘッド（１０，１１）を備えており、該インクジェット印刷ヘッドは、印刷装置タワー（１，２）内において、ウェブ（２０）に対する作業位置における印刷方向に対して横方向に横木（Traverse）（１２，１３）に取りつけられている。
【００１８】
インクジェット印刷ヘッド（１０，１１）は、横木（１２，１３）に調整自在に取り付けられているため、インクジェット印刷ヘッドの位置は通常は制御信号を介して、また、緊急時には手動でも調整できる。
【００１９】
横木（１２，１３）は印刷機の任意の場所、望ましくはウェブ（２０）に向かい合う印刷装置タワー内の、望ましくはウェブ（２０）が平坦な場所に配置される。
【００２０】
図を簡略化するため、ウェブ（２０）は図１においては示唆的にのみ示し、図２においては示していない。
【００２１】
ウェブ（２０）は矢印（３０）により視覚化された搬送方向において、インクジェット印刷ヘッド（１０，１１）に近接して通過する。
【００２２】
各インクジェット印刷ヘッド（１０，１１）には既知の態様で、横に並んだ複数のノズルからなる一列のノズル列が備わっており、このノズル列を介して印刷インキを、一つの胴もしくは用紙ガイドローラなどの湾曲したガイド要素に接してガイドされる、印刷対象のウェブ（２０）に向けて吐出することができる。
【００２３】
望ましくは、各印刷ヘッド（１０，１１）は、印刷装置タワー（１，２）内のウェブ（２０）が平坦に（つまり垂直に）搬送される領域に配置される。
【００２４】
代替的な実施形態においては、インクジェット印刷ヘッド（１０，１１）は、作業状態においては、ガイドローラまたは圧胴など、印刷装置内の胴の湾曲した表面に配置することができる。
【００２５】
しかし印刷ヘッド（１０，１１）がウェブ（２０）の平坦経路の領域に配置されている場合、該ウェブ（２０）を安定させるために追加的な用紙ガイドローラを使用することができる。
【００２６】
さらに、各インクジェット印刷ヘッド（１０，１１）には制御ユニット（４０，４１）もしくはコントロールユニットが備わっており、このユニットは、割り当てられた印刷ヘッド（１０，１１）の周辺で印刷機の構造（つまり、印刷装置側壁など）内に配置されている。
【００２７】
制御ユニット（４０，４１）は、つまり、印刷機構造において印刷ヘッドの周辺、望ましくはウェブガイドプレートの後ろに配置されている。インクジェット・ユニット全体、つまり横木（１２，１３）、印刷ヘッド（１０，１１）および制御ユニット（４０，４１）および、必要なコントローラ・ハードウェアはモジュール式で輸送可能な構成であるため、印刷機内におけるインクジェット印刷システムの位置を必要に応じて交換することができる。
【００２８】
各制御ユニット（４０，４１）は、「インクジェットによる」追加印刷（Eindruck）のために設けられた、印刷物内のスペースへの追加印刷場所と、該追加印刷の寸法どおりの画像印刷をより良く同期させるために、印刷機制御装置から速度信号（エンコーダ信号)およびスタート信号（ゼロインパルス）を受信することができる。
【００２９】
各インクジェットユニット（８，９）（またはそれぞれ複数のインクジェットユニット）は、独立したユニットとして別個に操作できるように、および、印刷中に、印刷機の残りのデータワークフローとは非同期的にデータをインプットできるように組み込むことができる。しかし各インクジェットユニット（８，９）はまた、印刷機自体の制御装置（コントロールステーション）に組み込んで、印刷機の制御装置を介して印刷データを入手することもできる。この場合、印刷準備から印刷まで一貫した一つのワークフローを実現することができる。
【図面の簡単な説明】
【００３０】
【図１】複数の印刷装置タワーを備える新聞印刷用オフセット印刷機の非常に図式的な側面図であり、該印刷装置タワーは、４×４色印刷の、垂直なウェブ経路を持つ、２段に積み上げられた９胴サテライトを備えており、また、印刷装置タワーの上部印刷ユニットの近くには本発明の追加装置が配置されている。
【図２】図１の装置の非常に図式的な上面図である。
【符号の説明】
【００３１】
１，２  印刷装置タワー
７  折りユニット
８，９  インクジェット印刷システム
１０，１１  インクジェット印刷ヘッド
１２，１３  横木
２０  ウェブ
３０  ウェブの搬送方向
４０，４１  制御ユニット
【図１】
2007276469.tif 000003
【図２】
2007276469.tif 000004